(57)【要約】【課題】  可変情報と固定情報の配置の体裁が整った刷分け冊子を提供すると共に、必要最小限のプリンタ装置を利用してそのような冊子の製造が可能な冊子の製造方法を提供する。【解決手段】  複数のページが面付けされてなる１枚の用紙に対して、事前に一部をオフセット等の有版方式で印刷しておき、可変情報を印刷可能なプリンタ装置を複数冊子ののど部に相当する位置に並べて配置して印刷する。その後、折り工程、裁断工程を経ることにより、当該冊子ののど部に可変情報がまとまった状態で掲載された冊子が得られる。【選択図】  図２
2005349685.tif 000002
【特許請求の範囲】
【請求項１】
複数のページが面付けされてなる１枚の用紙であって、事前に一部が印刷されたものに対して、可変情報を印刷可能なプリンタ装置を複数冊子ののど部に相当する位置に配置して印刷し、折り工程、裁断工程を経て、当該冊子ののど部に可変情報がまとまった状態で掲載された冊子として製造することを特徴とする刷り分け冊子の製造方法。
【請求項２】
各ページにおいて、前記事前に印刷された内容と前記プリンタ装置により印刷される可変情報の内容が何らかの関連性を有することを特徴とする請求項１に記載の刷り分け冊子の製造方法。
【請求項３】
複数のページにより構成される冊子であって、各ページに事前に印刷された固定情報印刷部と、可変情報が印刷された可変情報印刷部とを有し、全ページにおいて、可変情報印刷部が冊子ののど部に設けられていることを特徴とする固定情報と可変情報とを刷り分けた刷り分け冊子。
【発明の詳細な説明】
【技術分野】
【０００１】
本発明は、各ページに可変情報印刷部、固定情報印刷部を有する冊子、およびその冊子の製造方法に関する。
【背景技術】
【０００２】
従来より、街の電気店やスーパー、宅配ピザ等のデリバリ専門店等で使われているカタログやパンフレット等の冊子には、店舗名称や案内図、商品価格、キャンペーン情報、地域密着型の情報が盛り込まれている。このような冊子において地域密着型の情報を印刷する場合には、各地域ごとに個別の内容を印刷する必要がある。
【０００３】
その制作方法として、オフセット等の有版印刷によって刷り分ける方法、電子写真やインクジェット等のプリンタ装置を用いて白紙から全て刷り分ける方法等が挙げられるが、有版印刷では製版・刷版代等が嵩み、プリンタ等では、その装置代やインク代、トナー代、及びページチャージ代等が嵩み、制作コストの観点から実現性が困難であった。
【０００４】
また、制作コストを削減するために、印刷絵柄の中で共通部分（固定情報）を安価な有版方式でプレ印刷し、可変情報のみ追い刷りする方法も考案されたが、プリンタ装置の価格がまだまだ高価であること、プレ印刷された用紙サイズによっては、可変印刷の可能な領域が幅方向に狭く、用紙全体に対し可変印刷するには複数台のプリンタ装置が必要であること、等から十分なコスト削減効果は得られていない。
【０００５】
また、各ページに可変情報を備えた冊子も存在するが（例えば、特許文献１参照）、カタログやパンフレットとして利用できるように、レイアウトが工夫されたものとはなっていない。
【特許文献１】特開平１０−２３６０３５号公報
【発明の開示】
【発明が解決しようとする課題】
【０００６】
上記のような点に鑑み、本発明は、可変情報と固定情報の配置の体裁が整った刷分け冊子を提供すると共に、必要最小限のプリンタ装置を利用してそのような冊子の製造が可能な冊子の製造方法を提供することを課題とする。
【課題を解決するための手段】
【０００７】
上記課題を解決するため、本発明では、刷り分け冊子を、複数のページが面付けされてなる１枚の用紙であって、事前に一部が印刷されたものに対して、可変情報を印刷可能なプリンタ装置を複数冊子ののど部に相当する位置に配置して印刷し、折り工程、裁断工程を経て、当該冊子ののど部に可変情報がまとまった状態で掲載された冊子として製造するようにしたことを特徴とする。
【発明の効果】
【０００８】
本発明によれば、その一部があらかじめ印刷されている用紙に対して、可変情報を印刷可能なプリンタ装置で、完成後にのど部に相当する位置に可変情報を印刷するようにしたので、各ページに可変情報が印刷されると共に、可変情報と固定情報が整然とレイアウトされた冊子を製造することが可能となるという効果を奏する。
【発明を実施するための最良の形態】
【０００９】
以下、本発明の好適な実施形態について、図面を参照して詳細に説明する。本実施形態では、１６ページからなる小冊子を作成する場合を例にとって説明していくこととする。図１は、８面刷りで裏表に印刷する場合における面付けの状態を示す図である。図１（ａ）は表面を示し、図１（ｂ）は裏面を示している。図１において示してある「１」から「１６」の数字はページを示す番号であり、実際に印刷される内容とは異なる。また、図１においては、図示の都合上、裏面については、表面と左右逆になっている。すなわち、実際にはページ「１」の裏にはページ「２」、ページ「３」の裏にはページ「４」というように、連続するページが裏表の関係になるように配置されている。
【００１０】
まず、図１に示したような用紙に対して、オフセット等の有版印刷で固定情報を印刷する。固定情報とは、例えば、冊子を全国の販売店で配布する場合に、全国的に共通な商品の情報等が相当する。固定情報の印刷後、電子写真やインクジェット等の方式のプリンタ装置により、可変情報の印刷を行う。
【００１１】
図１に示した各ページをＡ４版で作成することとした場合、Ａ４版１６ページ冊子を制作するための標準的な用紙幅は８８０ｍｍとなる。また、印刷の流れ方向の用紙の長さは６２５ｍｍとなる。なお、図中単位の「ｍｍ」は省略してある。プリンタ装置１台当りのプリント幅を１００ｍｍと仮定した場合、２１０ｍｍのＡ４幅に対し、ほぼ半分に相当する部分が可変印刷されることになる。
【００１２】
具体的には、図１に示した用紙に対して、図２に示した位置に印刷を施すことになる。図２において、１〜８はプリンタを示しており、網掛けを施した部分は、各プリンタにより可変情報が印刷された部分を示している。また、図２（ａ）は表側を示しており、図２（ｂ）は裏側を示している。隣り合うプリンタ１と２、３と４、５と６、及び７と８は対で１組のプリンタとなっており、表側（ａ）を刷ってから用紙を反転させて裏側（ｂ）を印刷する。また印刷の順番としては逆の裏側（ｂ）を刷ってから用紙を反転させて表側（ａ）を刷ってもよい。なお、図２において、隣接するプリンタが、用紙の流れ方向にずらして配置されているのは、プリンタを保持する筐体等のプリンタ装置の他の部分の配置状況を考慮したためである。図２では幅１００ｍｍの隣り合うプリンタ２台を１組として印刷する例を示しているが、倍幅のプリンタ１台で２００ｍｍ幅の可変情報を印刷してもよい。
【００１３】
図３にプリンタ装置による可変情報の印刷後の状態を示す。図３において、点線で示した部分は折り加工を行うための折線である。本実施形態では、まず、折り線Ｌ１で２つ折りする。この時点で、折り線Ｌ２の右半分と左半分は互いに重なり、折り線Ｌ３とＬ４は全線で重なることになる。続いて、Ｌ２で２つ折りする。さらに、重なっているＬ３とＬ４を同時に２つ折りすることにより、８枚分が重なった状態が得られる。折り加工が終了したら、綴じ加工を行う。本実施形態では、ステッチャを利用した中綴じ加工を行う。綴じ加工が終了したら、綴じ加工を行った辺以外の三方について断裁加工を行う。これにより、冊子が完成することになる。
【００１４】
図４に完成した冊子の各ページの見開き状態を示す。図４に示すように、いずれのページにおいても見開き状態で、のど部（小口と対向する辺である綴じ側の部分）に可変情報が印刷された状態となり、ページによって可変情報が印刷された位置が異なることがなく、冊子全体として統一感のあるものとなる。また、各ページについて見てみると、可変情報と固定情報の内容が何らかの関連性を持っているので、ページ単位で完結した情報の提供ができる。ここで、「何らかの関連性」とは、例えば、同一の商品、同一のサービスについての情報である等が考えられる。
【図面の簡単な説明】
【００１５】
【図１】８面刷りで裏表に印刷する場合における面付けの状態を示す図である。
【図２】可変情報の印刷時の様子を示す図である。
【図３】プリンタ装置による可変情報の印刷後の状態を示す図である。
【図４】完成した冊子の各ページの見開き状態を示す図である。
【符号の説明】
【００１６】
１〜８・・・プリンタ
Ｌ１〜Ｌ４・・・折り線
【図１】
2005349685.tif 000003
【図２】
2005349685.tif 000004
【図３】
2005349685.tif 000005
【図４】
2005349685.tif 000006